(57)【要約】【課題】  洗剤を用いた排水トラップの洗浄作業を、手作業で行わずとも自動的に且つ効果的に行うことのできる排水トラップ洗浄装置を提供する。【解決手段】  洗剤を吐出する洗剤ノズル１０と、洗浄水を吐出する洗浄水ノズル１１とを、排水口１と排水トラップ２との間に設置するとともに、各ノズル１０，１１からの洗剤及び洗浄水の吐出を制御する制御部２１を備えることで、排水口１の下流側に設置される排水トラップ２を洗浄するための排水トラップ洗浄装置を構成する。【選択図】        図１
2008081979.tif 000002
【特許請求の範囲】
【請求項１】
排水口の下流側に設置される排水トラップを洗浄するための排水トラップ洗浄装置であって、洗剤を吐出する洗剤ノズルと、洗浄水を吐出する洗浄水ノズルとを、排水口と排水トラップとの間に設置するとともに、各ノズルからの洗剤及び洗浄水の吐出を制御する制御部を備えたことを特徴とする排水トラップ洗浄装置。
【請求項２】
上記制御部を、洗剤を吐出させてから一定時間経過後に洗浄水を吐出させるものとすることを特徴とする請求項１に記載の排水トラップ洗浄装置。
【請求項３】
洗剤ノズルと洗浄水ノズルとを兼用する洗浄ノズルを備え、且つ上記制御部を、洗浄ノズルから洗剤と洗浄水とを別々に吐出させるものとすることを特徴とする請求項１又２に記載の排水トラップ洗浄装置。
【発明の詳細な説明】
【技術分野】
【０００１】
本発明は、排水トラップを自動的に洗浄するための排水トラップ洗浄装置に関するものである。
【背景技術】
【０００２】
浴室ユニットの洗い場等に設けてある排水口の下流側には、排水トラップが配してあり、この排水トラップを介して排水管が接続されている。通常、排水中には塵や毛髪等の異物が混入していることが多く、これらが排水トラップやその周辺部分に溜まると異臭発生や詰まりの原因となることから、洗剤を用いた洗浄作業を頻繁に行うことが望まれる。
【０００３】
しかし、この洗浄作業を手作業で行う際には、スポンジや洗剤を手に取ってしゃがみ込んだ姿勢を維持する必要があり、身体に大きな負荷を強いることとなる。また、このときに異臭を嗅ぐことで作業者に不快感を与えることにもなる。
【０００４】
これに対して、上方からホースを挿入し易くする溝部を排水トラップに設け、洗浄時の作業者の負担を低減させようとするものも提案されているが（特許文献１参照）、これによっても手作業で頻繁に洗浄を行う必要はあり、作業者に大きな負担を強いることに変わりはなかった。
【特許文献１】特開平７−２３８５７９号公報
【発明の開示】
【発明が解決しようとする課題】
【０００５】
本発明は上記問題点に鑑みて発明したものであって、洗剤を用いた排水トラップの洗浄作業を、手作業で行わずとも自動的に且つ効果的に行うことのできる排水トラップ洗浄装置を提供することを課題とするものである。
【課題を解決するための手段】
【０００６】
上記課題を解決するために本発明を、排水口１の下流側に設置される排水トラップ２を洗浄するための排水トラップ洗浄装置であって、洗剤を吐出する洗剤ノズル１０と、洗浄水を吐出する洗浄水ノズル１１とを、排水口１と排水トラップ２との間に設置するとともに、各ノズル１０，１１からの洗剤及び洗浄水の吐出を制御する制御部２１を備えたものとする。
【０００７】
上記構成の排水トラップ洗浄装置とすることで、洗浄作業を手洗いで行わずとも、各ノズル１０，１１から洗剤及び洗浄水を自動的に吐出させて効果的に洗浄作業を完了することができる。したがって、洗浄作業を手作業で行うときのようにスポンジや洗剤を手に取ってしゃがみ込んだ姿勢を維持する必要もなく、また異臭を嗅ぐことで不快感を覚えることもない。
【０００８】
加えて、上記制御部２１を、洗剤を吐出させてから一定時間経過後に洗浄水を吐出させるものとすることも好適である。このようにすることで、洗剤が排水トラップ２内の汚れに対して分解、剥離、脱色等の効果を充分に発揮するだけの時間を待ったうえで洗浄液を吐出し、効果的に汚れを洗浄させることができる。ここでの一定時間は、使用する洗剤に応じた最適な時間を設定しておけばよい。
【０００９】
また、洗剤ノズル１０と洗浄水ノズル１１とを兼用する洗浄ノズル３０を備え、且つ上記制御部を、洗浄ノズル３０から洗剤と洗浄水とを別々に吐出させるものとすることも好適である。このようにすることで、部品点数を抑制しながら洗剤や洗浄水を多方向から吐出させることができ、しかも、洗剤や洗浄液を吐出するタイミングや量を適宜設定することが可能である。
【発明の効果】
【００１０】
本発明は、洗剤を用いた排水トラップの洗浄作業を、手作業で行わずとも自動的に且つ効果的に行うことができるという効果を奏する。
【発明を実施するための最良の形態】
【００１１】
以下、本発明を添付図面に示す実施形態に基づいて説明する。図１には、本発明の実施形態における一例の排水トラップ洗浄装置を設置した浴室ユニットを示している。この浴室ユニットは、浴槽５０と、浴槽５０を設置する浴槽載置用床パン６０と、浴槽５０に隣接する洗い場の床面を形成する洗い場用床パン６１とを備えたものである。洗い場用床パン６１には、排水口１を設けるとともに該排水口１の下方に凹状の排水受け部３を形成しており、この排水受け部３の底面中央の開口下方に排水トラップ２を設置することで、排水トラップ２を介して排水口１と排水管４０を連通接続させる構造となっている。なお、排水口１には適宜の通水構造を有する排水蓋７０を被せておくのであるが、図１にはこれを外した状態を示している。
【００１２】
図２に示すように、本例の排水トラップ２は、上方から流入する排水Ｗを水封部４を介して側方へと排出するＬ字型トラップである。上記水封部４は、排水管４０側から臭気が逆流する等の事態を防止するものであり、椀状に形成されるトラップ本体６と、トラップ本体６内に貯留される排水Ｗにその下端部分が浸かるように設置される封止筒５とで形成してある。
【００１３】
トラップ本体６には、その周壁の一部に設けてある開口６ａを通じて排水管４０を連通接続させており、上記開口６ａの最下端の高さまではトラップ本体６内に排水Ｗが貯留される構造である。また封止筒５は両端の開口した円筒状を成す部材であり、排水口１下方に位置する排水受け部３とトラップ本体６とを連通させる状態で吊設される。この状態にある封止筒５の下端部分は、上記開口６ａの最下端よりも下方に位置する。
【００１４】
封止筒５の吊設は、該封止筒５の上端開口縁から外方に延設したフランジ部５ａを、平面視リング状のフランジ部材７を介して、排水受け部３の底面開口の周縁部分に係止させることで行う。上記フランジ部材７は、排水受け部３の開口周縁に嵌合させてあるパッキン８上に差し込んでその下端部をトラップ本体６と螺合させるようになっている。符合９はヘアキャッチャーであり、フランジ部材７を介して封止筒５の上方にこれを係止させ、排水受け部３から排水トラップ２に排水Ｗが流下する際に毛髪等の異物を捕獲するようになっている。
【００１５】
そして本例の排水トラップ洗浄装置にあっては、排水口１と排水トラップ２との間に設けた空間部である排水受け部３の側面３ｂに、洗剤を吐出するための洗剤ノズル１０と、洗浄水を吐出するための洗浄水ノズル１１とを、互いに対向するように設置してある。
【００１６】
図１に示すように、上記洗剤ノズル１０は、洗剤供給管１２を通じて洗剤ポンプ１３及び洗剤タンク１４に接続されており、更に洗剤タンク１４は洗剤供給口１５に接続されている。洗剤供給口１５は浴槽５０上端のフランジ部５０ａ上面に設けてあるが、他の場所であっても構わない。
【００１７】
上記洗浄水ノズル１１は、三方弁である浴水切替バルブ１６を介して二手に分岐される給水管１７の一方の分岐路の下流端に接続させてある。この給水管１７の上流端は浴槽５０の内側面に開口する吸入口１８に接続させてあり、他方の分岐路の下流端は、浴槽５０の別の内側面に開口する吐出口１９に接続させてある。なお図示例では、浴槽５０に吐出口１９を一対設けてあるので、給水管１７の上記他方の分岐路を更に二手に分岐させ、各分岐路の下流端に吐出口１９を接続させてある。
【００１８】
吸入口１８と浴水切替バルブ１６との間には循環ポンプ２０が配してあり、ポンプ圧により浴槽５０内の浴水を洗浄水ノズル１１又は吐出口１９に択一的に供給するようになっている。換言すると上記洗浄水ノズル１１は、浴槽５０内の浴水を循環させる給水管１７中の循環ポンプ２０より下流側に浴水切替バルブ１６を配し、この浴水切替バルブ１６を介して分岐する分岐路の下流端に接続させた構造となっている。
【００１９】
また本例の制御部２１は、浴槽５０の外側面に設置される制御盤から成り、上記した洗剤ポンプ１３、浴水切替バルブ１６、循環ポンプ２０に接続されてこれらを駆動制御するようになっている。更に制御部２１には、動作指令用の動作スイッチ２２が接続されている。動作スイッチ２２は浴槽５０のフランジ部５０ａ上面に設置してあるが、他の場所であっても構わない。符合２３は、制御部２１に電力を供給するための電源ケーブルである。図３には、これらの基本的な構成を概略的に示してある。
【００２０】
上記構成の排水トラップ洗浄装置を用いて排水トラップ２の洗浄作業を行うには、動作スイッチ２２に所定のスイッチ操作を行うことで、制御部２１に対して排水トラップ洗浄動作信号を送ればよい。ここで、制御部２１は排水トラップ洗浄動作に加えて浴水循環動作も行わせるものであるから、排水トラップ洗浄動作信号と浴水循環動作信号とは区別して設定する。具体的には、例えば同一の動作スイッチ２２を用いて押す時間を相違させるといった手段や、一定時間内に押す回数を相違させるといった手段が考えられる。また、動作スイッチ２２を別々に設けてもよい。
【００２１】
排水トラップ洗浄動作信号を受信した制御部２１は下記の手順で各部材を駆動制御する。まず制御部２１は、洗剤ポンプ１３を駆動させることで洗剤タンク１４から洗剤供給管１２を通じて洗剤ノズル１０にまで洗剤を供給し、洗剤ノズル１０から排水受け部３内に洗剤を吐出させる。これにより排水受け部３内は勿論、ヘアキャッチャー９や更に下方の排水トラップ２内にまで洗剤が散布されることとなる。洗剤ポンプ１３を駆動させた後は予め設定してある一定時間の経過を待ち、該一定時間経過時点で、吸入口１８側と洗浄水ノズル１１側とを繋ぐように浴水切替バルブ１６を切り替えて循環ポンプ２０を所定時間だけ駆動させる。これにより洗浄水ノズル１１からは、浴槽５０内の浴水から成る洗浄液がポンプ圧により吐出され、排水受け部３内は勿論、ヘアキャッチャー９や下方の排水トラップ２内にまで洗浄液が散布されて汚れを洗浄することとなる。循環ポンプ２０に停止により洗浄液の吐出を終えれば、吸入口１８側と吐出口１９側とを繋ぐように浴水切替バルブ１６を切り替えることで、排水トラップ洗浄動作を完了させる。
【００２２】
ここで、洗剤散布後に洗浄液の吐出を開始するまでの待機時間である上記一定時間は、使用する洗剤が排水トラップ２内の汚れに対して分解、剥離、脱色等の効果を充分に発揮することができる適当な時間に設定しておく。また、排水トラップ２内を予め湿潤状態にしておいた後に洗剤を散布した方が洗浄効果が向上する場合には、洗剤散布前に洗浄水ノズル１１から所定時間だけ洗浄液を吐出させておくように、制御部２１を設定することも好適である。
【００２３】
なお、動作スイッチ２２に他のスイッチ操作を行って浴水循環動作信号を送信した場合には、制御部２１は吸入口１８側と吐出口１９側とを繋ぐ状態に浴水切替バルブ１６を保持したまま循環ポンプ２０を駆動させる。これにより浴槽５０内の浴水が給水管１７を通じて循環される。
【００２４】
次に、本発明の実施形態における他例の排水トラップ洗浄装置について、図４、図５に基づいて説明する。なお、本例の基本的な構成は上記した一例の構成と同様であるから、一例と一致する構成については同一符号を付して詳しい説明を省略し、一例とは相違する特徴的な構成についてのみ以下に詳述する。
【００２５】
本例にあっては、一例のように洗剤ノズル１０と洗浄水ノズル１１を別々に設置するのではなく、洗剤ノズル１０と洗浄水ノズル１１を兼ねる洗浄ノズル３０を排水受け部３内に対向するように設置し、この洗浄ノズル３０から洗剤と洗浄液を別々に吐出させる構造としている。
【００２６】
具体的には、洗浄ノズル３０に接続される給液管３１を三方弁である洗剤／洗浄水切替バルブ３２を介して二手に分岐し、分岐した一方を洗剤供給管１２として洗剤ポンプ１３及び洗剤タンク１４に連通接続させるとともに、分岐した他方を給水管１７として水道配管（図示せず）に連通接続させている。なお、本例にあっては洗浄ノズル３０を一対備えてあるので、給液管３１は途中で二手に分岐させて各分岐管の下流端をノズル３０に接続させてある。更に、本例にあっては浴槽５０内にも一対の浴槽洗浄ノズル３０′を設けており、給液管３１から更に分岐させた一対の分岐管の各下流端を浴槽洗浄ノズル３０′に接続させてある。
【００２７】
本例の制御部２１は、洗剤ポンプ１３と洗剤／洗浄水切替バルブ３２に接続されてこれらを駆動制御するようになっている。更に制御部２１には、動作指令用の動作スイッチ２２が接続されるとともに、電力供給用の電源ケーブル２３が接続されている。図５には、これらの基本的の構成を概略的に示してある。
【００２８】
上記構成の排水トラップ洗浄装置を用いて排水トラップ２の洗浄作業を行うには、動作スイッチ２２に所定のスイッチ操作を行うことで、制御部２１に対して排水トラップ洗浄動作信号を送ればよい。排水トラップ洗浄動作信号を受信した制御部２１は下記の手順で各部材を駆動制御する。
【００２９】
まず制御部２１は、給液管３１を洗剤供給管１２側に繋げるように洗剤／洗浄水切替バルブ３２を保持したままで、洗剤ポンプ１３を駆動させる。これにより、洗剤タンク１４から洗剤供給管１２を通じて給液管３１内に洗剤が供給され、排水口１下方の洗浄ノズル３０を通じて排水受け部３内に洗剤を吐出させるとともに、浴槽５０側の浴槽洗浄ノズル３０′を通じて浴槽５０内にも同時に洗剤を吐出させる。洗剤ポンプ１３を駆動させた後は予め設定してある一定時間の経過を待ち、該一定時間経過時点で、給液管３１を給水管１７側に繋げるように洗剤／洗浄水切替バルブ３２を切り替える。これによって、水道水から成る洗浄液が水道圧により給水管１７を通じて給液管３１内に供給され、排水口１下方の洗浄ノズル３０を通じて排水受け部３内に洗浄液が吐出するとともに、浴槽５０側の浴槽洗浄ノズル３０′を通じて浴槽５０内にも同時に洗浄液が吐出する。
【００３０】
所定時間だけ洗浄液を吐出させると、洗剤／洗浄水切替バルブ３２を切り替えることで洗浄液の供給を停止し、排水トラップ洗浄動作と浴槽洗浄作業を同時に完了する。なお本例にあっても、排水トラップ２や浴槽５０を予め湿潤状態にしておいた後に洗剤を散布した方が洗浄効果が向上する場合には、洗剤散布前に洗浄ノズル３０及び浴槽洗浄ノズル３０′から所定時間だけ洗浄液を吐出させておくように、制御部２１を設定することが好適である。
【００３１】
上記のように、本例の排水トラップ洗浄装置によれば排水トラップ２と浴槽５を同時に洗浄することができるが、排水トラップ２側と浴槽５側とで別々に洗浄作業を実施したい場合には、給液管３１の洗浄ノズル３０側と浴槽ノズル３０′側とを分ける分岐箇所に適宜の切替バルブを設置してこれを制御部２１に接続させ、該切替バルブを駆動制御することで、排水トラップ２側への洗剤及び洗浄液の供給と浴槽５側への洗剤及び洗浄液の供給とを切り替えるようにすればよい。
【００３２】
なお、上記した各例において、洗剤ポンプ１３、洗剤タンク１４、制御部２１等は浴槽５０のフランジ部５０ａの下方に設置してあるが、設置箇所はこれに限定されない。
【図面の簡単な説明】
【００３３】
【図１】本発明の実施形態における一例の排水トラップ洗浄装置を設置した浴室ユニットを概略的に示す斜視図である。
【図２】同上の排水トラップ洗浄装置を設置した浴室ユニットの、排水トラップ周辺を示す断面図である。
【図３】同上の排水トラップ洗浄装置の構成図である。
【図４】本発明の実施形態における他例の排水トラップ洗浄装置を設置した浴室ユニットを概略的に示す斜視図である。
【図５】同上の排水トラップ洗浄装置の構成図である。
【符号の説明】
【００３４】
１  排水口
２  排水トラップ
１０  洗剤ノズル
１１  洗浄水ノズル
２１  制御部
２２  動作スイッチ
【図１】
2008081979.tif 000003
【図２】
2008081979.tif 000004
【図３】
2008081979.tif 000005
【図４】
2008081979.tif 000006
【図５】
2008081979.tif 000007